(57)【要約】【課題】蝶板基部（羽根）の材質に関わりなく、折戸の開度調整機構を設けることができるようにする。【解決手段】  扉体１０，２０を対の蝶番基部１２，２２で回転軸２周りに相対回転可能に接続した折戸用蝶番装置１において、前記一方の蝶番基部１２に他方の蝶番基部２２に向かって進退自在の調整スペーサ３０を設け、前記調整スペーサ３０にねじ部材３１をねじ込んでそのねじ部材３１を一方の蝶番基部１２に軸方向不動に支持し、ねじ部材３１の軸周り回転により調整スペーサ３０を進退させて他方の蝶番基部２２との当接位置を調整できるようにした。調整スペーサ３０は一方の扉体の蝶板基部１２に進退可能に保持されていればよく、また、ねじ部材３１は、その調整スペーサ３０にねじ込んで固定される。このため、蝶板基部１２は、必ずしも肉厚な鋳造品でなくとも、金属製の薄板により構成したものであっても実現可能であり、材質に関わりなく開度調整機構を設けることができる。【選択図】図１
2008088706.tif 000002
【特許請求の範囲】
【請求項１】
隣り合う扉体１０，２０の対向する扉縁部１１，２１にそれぞれ固定される対の蝶番基部１２，２２同士を回転軸２周りに相対回転可能に接続するとともに、前記両扉体１０，２０を、その面方向が直線状に並んだ状態と両扉体１０，２０が折り畳まれた状態との間に開閉自在に支持する折戸用蝶番装置１において、
前記一方の蝶番基部１２に、前記他方の蝶番基部２２に向かって進退自在の調整スペーサ３０を設け、前記調整スペーサ３０に前記進退方向のねじ部材３１をねじ込んでそのねじ部材３１を軸方向不動に前記一方の蝶番基部１２に支持するとともに、前記ねじ部材３１を軸周り回転させることにより前記調整スペーサ３０を他方の蝶板基部２２に向かって進退させて、その調整スペーサ３０を任意の進退位置でその進退方向不動に固定できるようにし、その調整スペーサ３０を前記他方の蝶番基部２２又はその他方の蝶番基部２２を固定した扉体２０の前記扉縁部２１に当接させてその当接により前記両扉体１０，２０を前記直線状に並んだ状態に保持することを特徴とする折戸用蝶板装置。
【発明の詳細な説明】
【技術分野】
【０００１】
この発明は、折戸に用いられる蝶番装置に関するものである。
【背景技術】
【０００２】
一般に、室内の間仕切りやクローゼットの前面開口部の開閉などに使用される折戸は、天井部に、あるいは天井部と床部の双方にレールが固定されて、そのレールに沿って複数の扉体がローラ等の支持部材を介してスライド自在に取付けられている。
隣り合う扉体１０，２０は、折戸用蝶板装置１によって回動可能に連結されており、前記その面方向が直線状に並んだ状態（図６（ａ）に示す実線状態参照）と、両扉体１０，２０が折り畳まれた状態との間に開閉自在となっている（図６（ａ）に示す鎖線状態参照）。
【０００３】
その折戸用蝶板装置１の構成は、例えば、本発明の実施形態の説明図である図５に基づいて説明すると、隣り合う扉体１０，２０の対向する扉縁部１１，２１に、それぞれ対の蝶番基部（羽根）１２，２２が固定されており、その対の蝶番基部１２，２２同士が回転軸２周りに相対回転可能に接続されている。
なお、扉体１０，２０をレールに固定する前記ローラ等の支持部材３は、各扉体１０，２０の前記蝶番基部１２，２２を設けた側の反対側の端部に設けられている。
【０００４】
扉体１０に設けられた取手４を持って扉体１０を手前に引っ張ると、その扉体１０及び隣接する他の扉体２０が回転軸２を中心として相対的に軸周り回転（回動）するとともに、扉体２０の前記蝶番基部２２を取付けた側の反対側の端部に設けた支持部材３が、レールに沿ってスライドして両扉体１０，２０が折り畳まれた状態、すなわち折戸が開いた状態となる（図６（ａ）の矢印ａ参照）。
また、取手４を持って扉体１０を奥に押し込めば、両扉体１０，２０がその反対方向に動作して面方向が直線状に並んだ状態、すなわち折戸が閉じた状態となる（図６（ａ）の矢印ｂ参照）。
【０００５】
この種の折戸において、回転軸２を支える蝶番基部１２，２２の軸受孔周囲には多大な応力が作用するため、ひとたびその軸受孔周囲に変形が生じると、両扉体１０，２０は、図６（ｂ）に示すように、折戸を閉めた状態において、直線状に（面一に）保持できなくなることがある。各扉体１０，２０が面一でなく折れ曲がっていると、外観上見栄えが悪くなるので好ましくない。
また、折戸を閉じた状態において、扉体同士が折れ曲がった状態となるこの種の問題は、蝶番基部１２，２２等、折戸用蝶板装置１を構成する各部部品の製造誤差等によっても発生し得る。
【０００６】
このため、例えば、特許文献１に示す折戸用蝶板装置では、その扉体同士の折れ曲がり状態を解消するために、一方の蝶板基部に調整ねじをねじ込み、調整ねじのねじ込み度合いによりその調整ねじを軸方向に進退可能としている。
折戸を閉じた状態において、その調整ねじの先端が、他方の蝶番基部又は対向する扉体に当接し、その当接位置を前記進退により調整することにより、隣り合う扉体同士を直線状に保持できるようにしたものである。
【特許文献１】実公平６−１６０２４号公報
【発明の開示】
【発明が解決しようとする課題】
【０００７】
しかし、上記特許文献１に示す開度調整機構によれば、蝶板基部にねじ孔を形成して、そのねじ孔に調整ねじをねじ込んで固定する構成となっているため、蝶板基部には、その調整ねじを支えるに充分な部材の肉厚が必要である。ねじ孔は一定の軸方向長さを有していなければ、調整ねじを強固に支えることができないからである。
このため、その蝶板基部の素材としては、部位に応じて肉厚を任意に設定できる亜鉛ダイカスト等の鋳造品を用いざるを得ないという問題がある。
【０００８】
上記鋳造品による蝶板基部は、大きな力に対して折れやすいという問題があるとともに、一般に鋳造品はコストが高くなるため、蝶板基部の素材としては、鉄板等の安価で加工容易な板材を用いたいという要請もある。
しかし、板材は、通常２ｍｍ〜数ｍｍ程度のものが多用されるため、そのような薄い板材には、長さの長いねじ孔を直接形成することができない。
【０００９】
そこで、この発明は、蝶板基部（羽根）の材質に関わりなく、折戸を閉じた状態において各扉体を直線状に保持する開度調整機構を設けることを課題とする。
【課題を解決するための手段】
【００１０】
上記の課題を解決するために、この発明は、隣り合う扉体の対向する扉縁部にそれぞれ固定される対の蝶番基部同士を回転軸周りに相対回転可能に接続するとともに、前記両扉体を、その面方向が直線状に並んだ状態と両扉体が折り畳まれた状態との間に開閉自在に支持する折戸用蝶番装置において、前記一方の蝶番基部に、前記他方の蝶番基部に向かって進退自在の調整スペーサを設け、前記調整スペーサに前記進退方向のねじ部材をねじ込んでそのねじ部材を軸方向不動に前記一方の蝶番基部に支持するとともに、前記ねじ部材を軸周り回転させることにより前記調整スペーサを他方の蝶板基部に向かって進退させて、その調整スペーサを任意の進退位置でその進退方向不動に固定できるようにし、その調整スペーサを前記他方の蝶番基部又はその他方の蝶番基部を固定した扉体の前記扉縁部に当接させてその当接により前記両扉体を前記直線状に並んだ状態に保持する構成を採用した。
【００１１】
ねじ部材の軸周り回転により調整スペーサを進退する構成としたので、蝶板基部にねじ孔を形成する必要がない。
すなわち、調整スペーサは一方の扉体の蝶板基部に設けられて、他方の扉体の蝶板基部に対して進退できるように保持されていればよく、また、ねじ部材は、その調整スペーサにねじ込んで固定する構成となっているため、蝶板基部はねじ部材を軸方向不動に保持することで足りる。このような構成であれば、蝶板基部は、必ずしも肉厚な鋳造品でなくとも、金属製の薄板により構成したものであっても実現可能である。
このため、蝶板基部の材質に関わりなく、折戸を閉じた状態において各扉体を直線状に保持する開度調整機構を設けることができる。
【発明の効果】
【００１２】
この発明は、以上のようにしたので、蝶板基部（羽根）の材質に関わりなく、折戸を閉じた状態において、各扉体を直線状に保持する開度調整機構を設けることができる。
【発明を実施するための最良の形態】
【００１３】
一実施形態を図面に基づいて説明する。この実施形態の折戸用蝶番装置１は、室内の間仕切りやクローゼットの前面開口部に設けられる折戸に使用される。
【００１４】
隣り合う扉体１０，２０は、それぞれ折戸用蝶板装置１によって回動可能に連結されており、前記その面方向が直線状に並んだ状態（図６（ａ）に示す実線状態参照）と、両扉体１０，２０が折り畳まれた状態との間に開閉自在となっている（図６（ａ）に示す鎖線状態参照）。
折戸を構成する扉体のレール（図示せず）に対する支持構造は、従来例と同様であり、また、その開閉動作も従来例と同様である。
【００１５】
折戸用蝶板装置の構成は、図５に示すように、隣り合う扉体１０，２０の対向する扉縁部１１，２１にそれぞれ凹部が形成されており、その凹部に、それぞれケース３５，３６を介して、対の蝶番基部（羽根）１２，２２がビス５で固定されている。
【００１６】
その対の蝶番基部１２，２２の前端部には、それぞれ並行に向かい合う対の軸受部１３，１３；２３，２３が設けられている。各軸受部１３，１３；２３，２３は板状を成し、それぞれ後記回転軸２を挿通可能なピン孔１３ａ，２３ａが設けられている。
【００１７】
一方の扉体１０に固定した蝶番基部（以下「一方の蝶板基部」という）１２にはカム部材１４が取付けられる。カム部材１４は、その前端部上方に、回転軸２を挿通可能なピン孔１４ａを有するとともに、そのピン孔１４ａの上部周囲に凸状の円弧面からなるカム面１４ｂを有している。
また、そのカム部材１４の下面には、溝１５が設けられており、またその溝１５の幅方向外側に突起１４ｃ、１４ｃが設けられている。
【００１８】
また、他方の扉体２０に固定した蝶番基部（以下「他方の蝶板基部」という）２２にはカム部材２４が取付けられる。カム部材２４は、図３に示すように、他方の蝶板基部２２に設けた係止部材２５，２５及びストッパ部材２６によって固定されている。また、カム部材２４は、その前端部上方に、前記一方の蝶板基部１２側のカム部材１４のカム面１４ｂに噛み合う凸状の円弧面からなるカム面２４ｂを有している。
カム部材２４は、バネ収納孔２４ａ内に収納したコイルバネ２７によって、そのカム面２４ｂが、前記一方の蝶板基部１２のカム面１４ｂに噛み合う方向へ（近づく方向へ）付勢されている。
【００１９】
また、その他方の蝶板基部２２の一方の蝶板基部１２に対向する側の端面には、上方へ突出するストッパ部材２８が設けられている。ストッパ部材２８は、カム部材２４の下面に設けた溝２４ｃに入り込むことができるようになっているので、カム部材２４を他方の蝶板基部２２に取付ける際に支障しないようになっている。
【００２０】
この両蝶番基部１２，２２に設けられた軸受部１３，１３；２３，２３のピン孔１３ａ，２３ａ、及びカム部材１４に設けられたピン孔１４ａに、回転軸２が挿通されて、その回転軸２は、その両端部にカシメ等の処理が施されて抜け止めされる。
【００２１】
このとき、カム部材１４は、ピン孔１４ａに挿通された回転軸２と、そのカム部材１４の下面に設けた突起１４ｃが、前記一方の蝶板基部１２に設けた孔１２ｃに圧入されることにより、その一方の蝶板基部１２に対し不動に固定される。
【００２２】
回転軸２を介して、両蝶板基部１２，２２が、その回転軸２の軸周りに相対回転自在となり、その相対回転により、前記レールに支持された前記両扉体１０，２０は、その面方向が直線状に並んだ状態と、両扉体１０，２０が折り畳まれた状態との間に開閉自在に支持される。
【００２３】
また、そのカム部材１４の下面には、図３に示すように、一方の蝶板基部１２に固定された状態で、前記回転軸２の軸方向に直交する方向（図２に示す開いた状態の両蝶板基部１２，２２間を結ぶ方向）に沿って延びる溝１５が形成されている。その溝１５の中程に段部１５ｃが形成されて、その段部１５ｃよりも前端側が、後端側よりも幅広となっている。
【００２４】
この溝１５内に、調整スペーサ３０が収納される。調整スペーサ３０は、前記溝１５と同じく、その中程に段部３０ｃが形成されており、その段部３０ｃよりも前端側が、後端側よりも幅広となっている。その幅は、前記段部３０ｃの前端側、後端側いずれの側においても、前記溝１５とほぼ同幅か、溝１５の幅よりもやや狭くなっており、調整スペーサ３０が溝１５内でスライド可能となっている。
【００２５】
その調整スペーサ３０には、その後端側と前端側とを貫通するねじ孔３２が形成されている。ねじ孔３２の内周にはねじ溝が設けられており、そのねじ孔３２にボルト（ねじ部材）３１がねじ込み可能となっている。
また、そのボルト３１の頭部は、調整スペーサ３０にねじ込んだ状態において、前端側に露出するようになっているので、その前端側からボルト３１を軸周り回転させることができる。
【００２６】
さらに、ボルト３１の先端は、同じく調整スペーサ３０にねじ込んだ状態において、その調整スペーサ３０の後端側に突出するようになっており、その突出部３１ｂの先端に、前記突出部３１ｂよりもやや大径の係止部３１ａを備えている。この係止部３１ａが前記一方の蝶番基部１２に設けた突部３３，３４間に嵌って、ボルト３１の軸方向移動が規制されている。なお、突部３４上面に形成された断面弧状の凹部３４ａは、前記ボルト３１の突出部３１ｂの外形に対応した形状となっている。
【００２７】
調整スペーサ３０が溝１５内に嵌った状態において、ボルト３１を調整スペーサ３０に対して軸周り回転させれば、ボルト３１は一方の蝶番基部１２に対して軸方向不動であるのでその軸方向位置で保持されつつ、調整スペーサ３０は、例えば、図１（ｂ）に示す状態から図１（ａ）に示す位置へと、前端側へ向かって徐々に前進しその突出量を増大させる。この前進は、ボルト３１の頭部に、調整スペーサ３０の前記ねじ孔３２の周縁部が当接するまで可能である。
【００２８】
また、前記ボルト３１を調整スペーサ３０に対し逆方向へ回転させれば、同じく、ボルト３１はその軸方向位置で保持されつつ、調整スペーサ３０は、図１（ａ）に示す状態から図１（ｂ）に示す位置へと、後端側へ向かって徐々に後退しその突出量を減少させる。この調整スペーサ３０の後退は、両段部１５ｃ，３０ｃが当接するまで可能である。
【００２９】
したがって、図６（ｂ）に示すように、折戸を閉めた状態において、各扉体１０，２０が直線状に（面一に）保持されない状態になった際には、前述のように、ボルト３１を軸周り回転させることにより、調整スペーサ３０を他方の蝶板基部２２に向かって前進させて、その調整スペーサ３０と他方の蝶番基部２２に設けたストッパ部材２８との当接位置を調整し、前記両扉体１０，２０を面一状態に設定することができる。
【００３０】
この実施形態では、調整スペーサ３０の進退範囲は、調整スペーサ３０が最大限に後退した状態（図１（ｂ）に示す状態）において、扉体１０，２０の扉縁部１１，２１端面同士が当接して前記面一の状態が確保されるように設計されている。また、その調整スペーサ３０が最大限に前進した状態（図１（ａ）に示す状態）において、折戸を閉じた状態における両扉体１０，２０間に生じ得るであろう最大の折れ曲がり角度を解消し得るよう、その進退範囲が設定されている。
調整スペーサ３０の進退範囲は自由に設定してよいが、上記のように設定すれば、その両扉体１０，２０間に生じ得る折れ曲がり状態を解消する上で有効である。
【００３１】
なお、この折戸用蝶番装置１は、連結する両扉体１０，２０の面方向が直線状に並んだ状態と、両扉体１０，２０が折り畳まれた状態とにそれぞれ保持する手段を備えている。
【００３２】
具体的な構成は、前記一方の蝶板基部１２に設けたカム部材１４のカム面１４ｂが、他方の蝶板基部２２に設けたカム部材２４のカム面２４ｂに当接しており、また、そのカム部材２４が、前記コイルバネ２７によりカム部材１４に近づく方向に付勢されている。
このため、両カム面１４ｂ、２４ｂ同士は、両扉体１０，２０の任意の開度において常に相互に噛み合うようになっている。
【００３３】
折戸の閉鎖状態（例えば、図６（ａ）に示す実線状態）から開放状態（例えば、図６（ａ）に示す鎖線状態）へ向けて、一方の扉体１０に対し他方の扉体２０を回転軸２周りに徐々に回転させると、両カム面１４ｂ，２４ｂ同士が摺動するとともに、他方のカム部材２４のカム面２４ｂと一方のカム部材１４のカム面１４ｂとの接触点が、中立点、すなわち、回転軸２の軸心から最も距離が遠くなる点に至る。
この中立点に至るまでの間、他方のカム部材２４と一方のカム部材１４との接触点が回転軸２の軸心から徐々に遠くなることに伴い、他方のカム部材２４を、コイルバネ２７の付勢力に抗してやや図中右側に押しながら、両扉体１０，２０を回転軸２周り回転させる必要がある。このため、閉鎖状態にある折戸は、弱い力で簡単に開放されないように保持された状態にあるといえる。
【００３４】
そして、他方のカム部材２４が、ひとたび前記中立点を通過すると、今度は折戸の開放状態に至るまでの間、他方のカム部材２４と一方のカム部材１４との接触点が、回転軸２の軸心に徐々に近くなることに伴い、他方のカム部材２４は、コイルバネ２７の付勢力によってやや図中左側に押されながら、回転軸２周りを移動し、図４の状態に至る。他方のカム部材２４がコイルバネ２７により付勢されているので、軽やかな力で両扉体１０，２０を回転させることができる。
【００３５】
このように、折戸を閉鎖状態から開放状態にするに際し、両カム部材１４，２４は中立点を超える必要があり、その中立点を超えるために、前記コイルバネ２７の付勢力に抗して他方のカム部材２４を回転軸２から離反させる力が必要になる。このため、ある程度大きな力を扉体１０，２０のいずれかに加えなければ、両扉体１０，２０は容易には開放されないように機能する。
また、両カム部材１４，２４がひとたび中立点を超えれば、前記コイルバネ２７の付勢力によりカム部材２４が回転軸２に近づく方向に付勢される。このため、比較的弱い力を加えるだけで、両扉体１０，２０は容易に開放状態（折り畳まれた状態）に至るよう機能する。
【００３６】
さらに、折戸が一旦開放された後、再度折戸を閉鎖しようとすると、両カム部材１４，２４は再度中立点を超える必要がある。このため、ある程度大きな引張り力を扉体２０に加えなければ、容易には折戸が閉鎖されないように機能する。開放された折戸を閉鎖する際の作用は上記と逆方向であり、その内容は同様であるので説明を省略する。
【００３７】
この実施形態では、両扉体１０，２０を、前記直線状に並んだ状態と両扉体１０，２０が折り畳まれた状態の各位置に保持する手段としてカム部材１４，２４を使用したが、他の実施形態として、両扉体１０，２０同士又は両蝶板基部１２，２２同士を所定の開閉位置で機械的にロックし得る周知の手段を採用してもよい。また、必要に応じて、両扉体１０，２０を所定の開閉位置で保持する機構、ロックする機構を省略することも可能である。
【００３８】
また、この実施形態では、調整スペーサ３０の前面を、他方の蝶番基部２２に設けたストッパ部材２８に当接させて、その当接により前記両扉体１０，２０を面一状態に調整する構成としたが、調整スペーサ３０の前面を当接させる部位は、他方の蝶番基部２２に設けたストッパ部材２８に限定されず、例えば、調整スペーサ３０の前面を、他方の蝶番基部２２の一方の蝶板基部１２に面する側の端面に当接させる構成や、他方の扉体２０の端面に当接させる構成も採用し得る。
【図面の簡単な説明】
【００３９】
【図１】一実施形態の作用を示す断面図であり、（ａ）は調整スペーサを前進させた状態、（ｂ）は調整スペーサを後退させた状態
【図２】同実施形態の折戸用蝶板装置の平面図
【図３】同実施形態の分解斜視図
【図４】折戸を構成する扉体を折り畳んだ状態を示す断面図
【図５】折戸用蝶板装置の斜視図
【図６】折戸の作用を示す説明図
【符号の説明】
【００４０】
１  折戸用蝶板装置
２  回転軸
３  支持部材
４  取手
５  ビス
６  レール
１０，２０  扉体
１１，２１  扉縁部
１２，２２  蝶板基部（羽根）
１３，２３  軸受部
１３ａ，１４ａ，２３ａ  ピン孔
１４，２４  カム部材
１４ｂ、２４ｂ  カム面
１５  溝
１５ｃ，３０ｃ  段部
２４ａ  バネ収納孔
２４ｃ  溝
２５  係止部材
２６  ストッパ部材
２７  コイルバネ
２８  ストッパ部材
３０  調整スペーサ
３１  ねじ部材（ボルト）
３２  ねじ孔
３３，３４  突部
３５，３６  ケース
【図１】
2008088706.tif 000003
【図２】
2008088706.tif 000004
【図３】
2008088706.tif 000005
【図４】
2008088706.tif 000006
【図５】
2008088706.tif 000007
【図６】
2008088706.tif 000008